(57)【要約】【課題】使用者が原稿をモノクロ印刷したいにもかかわらず、カラー読取モードで読み取ったときでも、本当にカラー印刷しないものだけをカラー印刷できるカラー画像読取記録装置を提供する。【解決手段】読み取った画像データがカラー画像データかモノクロ画像データかを判別するカラー／モノクロ自動判別手段１０と、カラー／モノクロ自動判別手段１０によって、読み取った画像データがカラー画像データと判別したときには、所定の報知をし、その後、所定操作がなされたときには、そのカラー画像データを印字出力する制御手段１とを備える。【選択図】図１
2004173067.tif 000002
【特許請求の範囲】
【請求項１】
読み取った画像データがカラー画像データかモノクロ画像データかを判別するカラー／モノクロ自動判別手段と、上記カラー／モノクロ自動判別手段によって、上記読み取った画像データがカラー画像データと判別したときには、所定の報知をし、その後、所定操作がなされたときには、そのカラー画像データを印字出力する制御手段とを備えるカラー画像読取記録装置。
【請求項２】
読み取った画像データがカラー画像データかモノクロ画像データかを判別するカラー／モノクロ自動判別手段と、上記読み取った画像データを外部情報端末に伝送する伝送手段と、上記カラー／モノクロ自動判別手段によって、上記読み取った画像データがカラー画像データと判別したときには、所定の報知をし、その後、所定操作がなされたときには、そのカラー画像データを上記伝送手段によって伝送する制御手段とを備えるカラー画像読取装置。
【請求項３】
請求項１において、
上記カラー画像データを上記モノクロ画像データに変換する変換手段を備えており、
上記制御手段は、上記所定の報知をしてから一定時間経過しても、上記所定の操作がされなかったときには、上記変換手段によってモノクロ画像データに変換し、印字出力させることを特徴とするカラー画像読取記録装置。
【請求項４】
請求項２において、
上記カラー画像データを上記モノクロ画像データに変換する変換手段を備えており、
上記制御手段は、上記所定の報知をしてから一定時間経過しても、上記所定の操作がされなかったときには、上記変換手段によってモノクロ画像データに変換し、伝送させることを特徴とするカラー画像読取記録装置。
【発明の詳細な説明】
【０００１】
【発明の属する技術分野】
本発明は、読み取った画像データがカラー画像データかモノクロ画像データかを判別するカラー／モノクロ自動判別手段を備えるカラー画像読取記録装置、および、カラー画像読取装置の改良に関する。
【０００２】
【従来の技術】
従来より、下記特許文献１に示すような装置は広く使用されている。
【０００３】
この種の装置では、ファクシミリ受信されたり、読み取られた画像データが、カラー画像データかモノクロ画像データかを判別する手段を備えており、判別した結果に応じて、カラー印刷もしくはモノクロ印刷をしている。
【０００４】
【特許文献１】
特開平７−２９８０６７号
【発明が解決しようとする課題】
ところで、上記した従来の装置では、使用者の意思にかかわらず、判別結果に応じて、カラー印刷をするかモノクロ印刷をするかが強制的に決定されるため、例えば、朱印などのカラー画像をモノクロ印刷したい場合、使用者が読み取りモードをモノクロ読取モードにしていればよいが、カラー読取モードで読み取ってしまった場合、モノクロ印刷されずカラー印刷されてしまう。
【０００５】
そのため、カラーインクの無駄となる他、印刷処理に時間がかかるなどの使い勝手の悪い面があった。
【０００６】
そこで、本発明は、使用者が原稿をモノクロ印刷したいにもかかわらず、カラー読取モードで読み取ったときでも、本当にカラー印刷したいものだけをカラー印刷できるカラー画像読取記録装置、および、これと同様の効果を奏するカラー画像読取装置を提供することを目的としている。
【０００７】
【課題を解決するための手段】
上記目的を達成するために、本発明の請求項１では、カラー画像読取記録装置を提案しており、読み取った画像データがカラー画像データかモノクロ画像データかを判別するカラー／モノクロ自動判別手段と、カラー／モノクロ自動判別手段によって、読み取った画像データがカラー画像データと判別したときには、所定の報知をし、その後、所定操作がなされたときには、そのカラー画像データを印字出力する制御手段とを備える。
【０００８】
請求項２では、請求項１に関連するものとして、同様の効果を奏するカラー画像読取装置を提案しており、読み取った画像データがカラー画像データかモノクロ画像データかを判別するカラー／モノクロ自動判別手段と、読み取った画像データを外部情報端末に伝送する伝送手段と、カラー／モノクロ自動判別手段によって、読み取った画像データがカラー画像データと判別したときには、所定の報知をし、その後、所定操作がなされたときには、そのカラー画像データを伝送手段によって伝送する制御手段とを備える。
【０００９】
請求項３では、請求項１の付加機能を提案しており、カラー画像データを上記モノクロ画像データに変換する変換手段を備えており、カラー画像データをモノクロ画像データに変換する変換手段を備えており、制御手段は、所定の報知をしてから一定時間経過しても、所定の操作がされなかったときには、変換手段によってモノクロ画像データに変換し、印字出力させることを特徴とする。
請求項４では、請求項２の付加機能を提案しており、カラー画像データをモノクロ画像データに変換する変換手段を備えており、制御手段は、所定の報知をしてから一定時間経過しても、所定の操作がされなかったときには、変換手段によってモノクロ画像データに変換し、伝送させることを特徴とする。
【００１０】
【発明の実施の形態】
以下に、本発明の実施の形態について、図面とともに説明する。
【００１１】
図１は、本発明のカラー画像読取記録装置、および、カラー画像読取装置の内部構成の一例を示す図である。なお、本実施の形態では、ファクシミリ装置Ｆを、カラー画像読取記録装置、および、カラー画像読取装置として構成している。
【００１２】
このファクシミリ装置Ｆは、以下の各部を制御する制御手段としてのＣＰＵ１と、電話回線Ｌに対する接続制御をするＮＣＵ２と、ファクシミリ通信に必要な各種信号を変復調するモデム３と、短縮ダイヤルなどを記憶するＲＡＭ４と、このファクシミリ装置Ｆが動作するのに必要なプログラムなどを記憶するＲＯＭ５と、ファクシミリ受信した画像データや、ファクシミリ送信予定の画像データを一時格納する格納する画像メモリ６と、セットされた原稿を、後述するカラー読取モードあるいはモノクロ読取モードで読み取り、カラー画像データあるいはモノクロ画像データとするスキャナ７と、液晶画面などで構成される表示部８と、各種操作キーで構成される操作部９と、スキャナ７により読み取った画像データや、画像メモリ６内の画像データが、カラー画像データかモノクロ画像データかを判別するカラー／モノクロ自動判別手段を構成する自動判別部１０と、画像データの符号化、復号をするコーデック１１と、カラープリンタ１２と、伝送手段を構成し、パソコンなどの外部情報端末を接続するためのインタフェース１３と、カラーからモノクロもしくはモノクロからカラーへと、画像データの種類を相互に変換するカラー／モノクロ変換部１４とを備える。
【００１３】
操作部９は、カラー読取モードキー９Ａ、自動判別モード設定／解除キー９Ｂ、モノクロ読取モードキー９Ｃとを備える。
カラー読取モードキー９Ａが操作され、原稿の読取指示がされると、スキャナ７によって原稿をカラー画像データ（ＲＧＢ三色データなど）として読み取る。
【００１４】
一方、モノクロ読取モードキー９Ｃが操作され、原稿の読取指示がされると、スキャナ７によって原稿をモノクロ画像データ（二値データや多値多階層データ）として読み取る。
【００１５】
自動判別モード設定／解除キー９Ｂは、操作により、カラー自動判別部による自動判別処理をするかしないかを選択できる。
【００１６】
カラー／モノクロ自動判別部１０は、自動判別モード設定／解除キー９Ｂにより自動判別モードが選択されているときには、スキャナ７によって原稿が読み取られる毎に、その画像データがカラーかモノクロかを判別する。すなわち、原稿の画像データがＲＧＢ三色データやＣＭＹＫ四色データなど、複数の色彩が異なる強さで組み合わされた画像データはカラーと判別する一方、そうでない画像データ、すなわち、二値データや多値多階層データなど、同一色の画像データはモノクロと判別する。
【００１７】
インタフェース１３には、ＲＳ−２３２Ｃなどの規格を有するケーブルを通じて、外部情報端末が接続される。なお、有線に限られずワイヤレス接続してもよい。また、１対１の通信ではなく、ＬＡＮを通じた通信として、１対多の通信をしてもよい。
このような構成によれば、コピー機能、ファクシミリ機能、プリンタ機能、スキャナ機能を実行でき、いわゆる、複合機としての機能を備える。
すなわち、コピー機能では、スキャナ７で読み取ったカラー画像データやモノクロ画像データをプリンタ１２より印字出力する。
【００１８】
ファクシミリ機能では、電話回線Ｌ、ＮＣＵ２、モデム３を通じて受信した画像データを画像メモリ６に格納し、それをコーデック１１で復号してプリンタ１２で印字出力する。また、スキャナ７で読み取った画像データを、コーデック１１で符号化して画像メモリ６に格納し、それを相手先に対して、モデム３、ＮＣＵ２、電話回線Ｌを通じて送出する。
【００１９】
プリンタ機能では、インタフェース１３を通じて外部情報端末から受信した画像データを、画像メモリ６に格納し、それをプリンタ１２で印字出力する。なお、インタフェース１３がＬＡＮなどの通信ネットワークに接続できる仕様であれば、本機能はネットワークプリンタとしての機能といえる。
【００２０】
スキャナ機能では、スキャナ７で読み取ったカラー画像データやモノクロ画像データを、インタフェース１３を通じて外部情報端末に送出する。なお、インタフェース１３がＬＡＮなどの通信ネットワークに接続できる仕様であれば、本機能はネットワークスキャナとしての機能といえる。
【００２１】
このような基本機能を備える特徴的な処理について、以下に説明する。まず、カラー画像読取記録装置としての処理を図２とともに説明する。なお、本発明を、カラー画像読取記録装置として使用するか、カラー画像読取装置として使用するかは、操作部９の所定操作によって選択できる。
【００２２】
ファクシミリ装置Ｆは、自動判別モードに設定されているときには（１００，Ｙ）、原稿をスキャナ７で読み取ると、それを一旦画像メモリ６に格納し、格納したものを読み出し、カラー／モノクロ自動判別部１０によって、読み出した画像データがカラーかモノクロかを判別する（１０１）。
【００２３】
一方、自動判別モードに設定されていないときには（１００，Ｎ）、原稿をそのときの読取モードで読み取り印刷処理をする（１０９）。すなわち、カラー読取モードなら、原稿をカラー画像データとして読み取りプリンタ１２より印字出力し、モノクロ読取モードなら、原稿をモノクロ画像データとして読み取りプリンタ１２より印字出力する。
【００２４】
自動判別をした結果、画像データがカラー画像データであれば（１０２，Ｙ）、表示部８に、「カラーでコピーします」などといった報知をする（１０３）。
【００２５】
報知をしてからは、所定時間のカウントを行い、その時間内に（１０４，Ｎ）、報知を受けた使用者が、所定の確認操作、例えば、スタートキー（不図示）の操作をすれば（１０５，Ｙ）、カラー画像データをプリンタ１２より印字出力する（１０６）。
【００２６】
一方、スタートキー操作がされることなく所定時間が経過すれば（１０４，Ｙ）、画像メモリ６内のカラー画像データをモノクロ画像データに変換して（１０７）、それをプリンタ１２で印字出力する（１０８）。
【００２７】
次に、カラー画像読取装置としての処理を図３とともに説明する。
【００２８】
ファクシミリ装置Ｆは、自動判別モードに設定されているときには（２００，Ｙ）、原稿をスキャナ７で読み取ると、それを一旦画像メモリ６に格納し、格納したものを読み出し、カラー／モノクロ自動判別部１０によって、読み出した画像データがカラーかモノクロかを判別する（２０１）。
【００２９】
一方、自動判別モードに設定されていないときには（２００，Ｎ）、原稿をそのときの読取モードで読み取り送出処理をする（２０９）。すなわち、カラー読取モードなら、原稿をカラー画像データとして読み取りインタフェース１３を通じて外部情報端末に送出し、モノクロ読取モードなら、原稿をモノクロ画像データとして読み取りインタフェース１３を通じて外部情報端末に送出する。
【００３０】
自動判別をした結果、画像データがカラー画像データであれば（２０２，Ｙ）、表示部８に、「カラーで送出します」などといった報知をする（２０３）。
【００３１】
報知をしてからは、所定時間のカウントを行い、その時間内に（２０４，Ｎ）、報知を受けた使用者が、所定の確認操作、例えば、スタートキー（不図示）の操作をすれば（２０５，Ｙ）、カラー画像データをインタフェース１３を通じて外部情報端末に送出する（２０６）。
【００３２】
一方、スタートキー操作がされることなく所定時間が経過すれば（２０４，Ｙ）、画像メモリ６内のカラー画像データをモノクロ画像データに変換して（２０７）、インタフェース１３を通じて外部情報端末に送出する（２０８）。
【００３３】
【発明の効果】
以上説明したように、本発明の請求項１では、カラー／モノクロ自動判別手段によって、画像データがカラー画像データと判別したときには、所定の報知をし、その後、所定操作がなされたときには、そのカラー画像データを印字出力するので、使用者が原稿をモノクロ印刷したいにもかかわらず、カラー読取モードで読み取ってしまった場合、その原稿がカラー印刷されることを確認でき、コピーをやりなおすことができる。
【００３４】
そのため、カラーインクの無駄や、印刷処理に時間がかかるなどの無駄を排除でき、本当にカラー印刷したいものだけをカラー印刷することができて使い勝手がよくなる。
【００３５】
請求項２では、カラー／モノクロ自動判別手段によって、画像データがカラー画像データと判別したときには、所定の報知をし、その後、所定操作がなされたときには、そのカラー画像データを伝送手段によって伝送するので、使用者が原稿をモノクロで外部情報端末に伝送したいにもかかわらず、カラー読取モードで読み取ってしまった場合、その原稿がカラーで伝送されることを確認でき、伝送をやりなおすことができる。
【００３６】
そのため、伝送時間の削減が図れ、本当にカラーで伝送したいものだけをカラーで伝送することができて使い勝手がよくなる。
【００３７】
請求項３または請求項４では、所定の報知をしてから一定時間経過しても、所定の操作がされなかったときには、カラー画像データをモノクロ画像データに変換するので、使用者が原稿をモノクロ印刷したいにもかかわらず、カラー読取モードで読み取ってしまったとしても、何らの対処操作を要せずに、強制的にモノクロ印刷ができ、利便にできる。
【図面の簡単な説明】
【図１】本発明の内部構成の一例を示すブロック図
【図２】カラー画像読取記録装置としての動作を示すフローチャート
【図３】カラー画像読取装置としての動作を示すフローチャート
【符号の説明】
Ｆ・・・ファクシミリ装置
１・・・ＣＰＵ
１０・・・カラー／モノクロ自動判別部
１３・・・インタフェース
【図１】
2004173067.tif 000003
【図２】
2004173067.tif 000004
【図３】
2004173067.tif 000005